(57)【特許請求の範囲】
【請求項１】
軽食販売機に軽食を補給するための方法であって、
ａ）軽食販売機から空の階段セグメントアセンブリを取り外すこと、
ｂ）階段セグメントアセンブリ全てが補給のために収集されるまで段階ａ）を反復すること、
ｃ）補給された階段セグメントアセンブリを軽食販売機に配置すること、
ｄ）全ての階段セグメントアセンブリが軽食販売機に配置されるまで段階ｃ）を反復すること、
を含む方法。
【請求項２】
ｅ）補給された階段セグメントアセンブリ及び空の小銭箱を収納する箱を用意すること、
ｆ）空の階段セグメントアセンブリを覆うシェルの錠止を解除すること、
ｇ）シェルを取り外すこと、
ｈ）段階ａ）、ｂ）、ｃ）、ｄ）を実施し、空の階段セグメントアセンブリを、補給した階段セグメントアセンブリと交換すること、
ｉ）軽食販売機の小銭箱を空の小銭箱と交換すること、
ｊ）取り外した各部品を箱の内部に配置すること、
ｋ）シェルを再配置すること、
ｌ）シェルを錠止すること、
を更に含む請求項１の方法。
【請求項３】
軽食販売機に軽食を補給するための方法であって、
ａ）空の階段トレーアセンブリを軽食販売機から取り外すこと、
ｂ）空の階段トレーアセンブリを実質的に一様高さの形態に折り畳むこと、
ｃ）補給された階段トレーアセンブリを、一様高さの形態から階段形態に伸長させること、
ｄ）補給された階段トレーアセンブリを軽食販売機に配置すること、
を含む方法。
【請求項４】
ｅ）補給され折り畳まれた階段トレーアセンブリ及び空の小銭箱を収納する箱を用意すること、
ｆ）空の階段トレーアセンブリを覆うシェルの錠止を解除すること、
ｇ）シェルを取り外すこと、
ｈ）段階ａ）、ｂ）、ｃ）、ｄ）を実施して空の階段トレーアセンブリを、補給した階段トレーアセンブリと交換すること、
ｉ）販売機の小銭箱を空の小銭箱と交換すること、
ｊ）取り外した各部品を箱の内部に配置すること、
ｋ）シェルを再配置すること、
ｌ）シェルを錠止すること、
を更に含む請求項３の方法。
【請求項５】
階段セグメントアセンブリが階段トレーアセンブリに含まれ、階段トレーアセンブリがトラフを形成し、
ａ）幾つかの軽食を、透明な、円形の下方トラフをセグメント化して形成した長孔内に配置すること、
ｂ）透明な、円形の上方トラフにして、外径が前記下方トラフの内径よりも若干小さい上方トラフをセグメント化して形成した長孔内に幾つかの軽食を配置すること、
ｃ）上方トラフを下方トラフ内に配置すること、
ｄ）上方トラフ及び下方トラフの高さを、上方トラフの頂部が下方トラフの頂部よりも高くなるように階段化すること、
ｅ）段階ｄ）により階段状積層体を形成すること、
により、販売用の多数の軽食を展示すること、
を含む請求項１又は３の方法。
【請求項６】
ｆ）少なくとも４つのトラフを有する階段状積層体を形成することを含む請求項５の方法。
【請求項７】
ｆ）階段状積層体を見るために回転させること、
ｇ）選んだ軽食を含む長孔が目的位置にある状態で階段状積層体を停止させること、
ｈ）長孔から選んだ軽食を取り出すこと、
を更に含む請求項５の方法。
【請求項８】
軽食販売機がカルーセルを含み、該カルーセルが、販売用の軽食を固定する全幅の長孔を有し、
ａ）軽食を、少なくとも２つのドアを有するシェルで覆うこと、
ｂ）カルーセルを回転させ、選択した長孔を一方のドアの下方に位置付けること、
ｃ）選択した長孔を覆うシェルの第１のドアを開き、販売用の軽食を入手すること、
ｄ）第１のドアが開放されるのに機械的に応じて、他の長孔を覆う他のドアが開放されるのを機械的に阻止すること、
を含む請求項１又は３の方法。
【請求項９】
ｅ）第１のドアが開放されるのに機械的に応じて、シェル内のカルーセルの回転を機械的に錠止させることを更に含む請求項８の方法。
【請求項１０】
ｅ）十分な信用が不足する場合に全てのドアを閉じた状態に錠止することを更に含む請求項８の方法。
【請求項１１】
ｆ）十分な信用が取れたことに応じて、少なくとも第１のドアの錠止を解放すること、
ｇ）第１のドアが開放されるのに機械的に応じて信用を消去すること、
を更に含む請求項１０の方法。
【請求項１２】
ｅ）全幅の長孔を半分に分割して単一幅の長孔を形成すること、
ｆ）全幅の長孔の内部に、取り外し式デバイダを配置すること、
を更に含む請求項８の方法。
【請求項１３】
ｇ）取り外し式デバイダのピンシステムを持ち上げること、
ｈ）段階ｇ）により、ドアが単一幅の長孔を越えて開放されて長孔の覆いが外されるのを阻止すること、
を更に含む請求項１２の方法。
【請求項１４】
ｄ）何れかのドアを開放することによりカムを回転させること、
ｅ）第１のドアを開放させることにより、第１のカムを第２の位置に回転させること、
ｆ）第１のカムを第２の位置に位置付けることにより、第２のドアが開放するのを阻止すること、
を更に含む請求項８の方法。
【請求項１５】
ｇ）第１のカムの一部分を移動させることにより、第２のドアを第２のドアの通路内で阻止すること、
を更に含む請求項１４の方法。
【請求項１６】
ｇ）第１のカムの回転によりアームを移動させること、
ｈ）段階ｇ）と共に、他のカムの回転を阻止すること、
ｉ）段階ｈ）により、他のドアが開くのを阻止すること、
を更に含む請求項１４の方法。
【請求項１７】
ｇ）十分な信用が不足する場合に全てのドアを閉じた状態に錠止することを更に含む請求項１４の方法。
【請求項１８】
ｈ）第１のカムの回転によりアームを移動させること、
ｉ）段階ｈ）と共に、カルーセルの回転を錠止すること、
ｊ）信用を消去すること、
を更に含む請求項１７の方法。
【請求項１９】
ｈ）値段固定システムを形成すること、
ｉ）段階ｈ）のために、第１のカムの回転を防止すること、
ｊ）段階ｉ）のために、第１のカムに結合したアームの回転を防止すること、
を更に含む請求項１４の方法。
【請求項２０】
ｈ）他のドアの開放を阻止すること、
ｉ）段階ｈ）のためにカムの回転を阻止すること、
を更に含む請求項１４の方法。
【請求項２１】
ｋ）第１のドアを解放すること、
ｌ）段階ｋ）のために、小銭箱位置での第１のピンの移動に応じてカムの第１の方向への回転を解放すること、
を更に含む請求項２０の方法。
【請求項２２】
ｍ）第２のドアを解放すること、
ｎ）段階ｍ）のために、小銭箱位置での第２のピンの移動に応じてカムの第２の方向への回転を解放すること、
を更に含む請求項２１の方法。
【請求項２３】
ｏ）追加のピンの移動に応じて追加のドアを解放すること、
ｐ）第１のドアを解放すること、
ｑ）段階ｐ）により、カムを回転させること、
ｒ）第１のカムの回転によりアームを移動させること、
ｓ）段階ｒ）と共に、他方のカムの回転を阻止すること、
ｔ）段階ｓ）により、任意のその他のドアの開放を阻止すること、
を更に含む請求項２２の方法。
【請求項２４】
ｍ）第１のドアを解放すること、
ｎ）段階ｍ）により、アームを移動させること、
ｏ）段階ｎ）と共に、カルーセルの回転を停止させること、
を更に含む請求項２１の方法。
【請求項２５】
ｋ）ピンの位置決めに応じてカムの回転を阻止する段階を、投入金額が不十分であることに基づくようにすること、を更に含む請求項２０の方法。
【請求項２６】
軽食販売機が、
ａ）可動の複数のトラフと、
ｂ）各トラフを覆う、開放阻止されたドアとを含み、
ｃ）各トラフが、複数の長孔をその内部に有し、
ｄ）前記各ドアの１つの下方に所望の長孔が来るように各トラフを手動で移動すること、
ｅ）小銭箱にお金を入れることにより信用を機械的に発生させること、
ｆ）段階ｅ）で発生させた信用に機械的に応じて、所望の長孔を覆うドアを機械的に解放させること、
ｇ）所望の長孔を覆うドアを手で開けること
ｈ）所望の長孔を覆うドアが開放されるのに機械的に応じて他の全てのドアの開放を機械的に阻止すること、
ｉ）所望の長孔を覆うドアが開放されるのに機械的に応じて各トラフの移動を機械的に阻止すること、
ｊ）ドアが手動で開放されるのに応じて信用を機械的に消去すること、
を含む請求項１又は３の方法。
【請求項２７】
軽食販売機が、
ａ）積層された複数の円形展示段と、
ｂ）円形展示段の、透明材料で作製された少なくとも一部分と、を含み、
ｃ）各円形展示段は、下の段の直径が小さく、
ｄ）各円形展示段は伸長されることにより階段トレーアセンブリを形成する構造を有する請求項１又は３の方法。
【請求項２８】
軽食販売機が、
ｅ）階段トレーアセンブリが複数の湾曲セグメントを含み、
ｆ）各湾曲セグメントが、積層された円形展示段の各々の一部分を有する請求項２７の方法。
【請求項２９】
ｅ）階段トレーアセンブリの、積層された円形展示段を折り畳み、実質的に一様高さの形態とすることができるようにした請求項２７の方法。
【請求項３０】
軽食販売機が、
ｆ）箱と、
ｇ）該箱の内部の折り畳まれたトレーアセンブリと、を更に含む請求項２９の方法。
【請求項３１】
ｈ）箱の内側高さが、各段の高さと実質的に等しいところの一様高さ形態での高さである請求項３０の方法。
【請求項３２】
軽食販売機が、
ｅ）回転自在のレースと、
ｆ）該レース上の半径方向トレー支持体にして、各段のための支持表面を各々有する半径方向トレー支持体と、を含み、
ｇ）該半径方向トレー支持体上に階段トレーアセンブリが配置される請求項２７の方法。
【請求項３３】
軽食販売機が、
ｅ）階段トレーアセンブリを覆うシェルと、
ｆ）該シェルがその下方に軽食を固定するよう然るべく錠止され、
ｇ）前記シェルが、伸長状態での階段トレーアセンブリ形態と実質的に一致する段形状を有し、
ｈ）シェルの少なくとも一部分が透明であり、
ｉ）シェルの各段のドア穴にして、階段トレーアセンブリの段の長孔内の軽食への接近を可能とするドア穴と、
ｊ）シェルのドア穴に各一つを摺動自在に取り付けたドアと、
を更に含む請求項２７の方法。
【請求項３４】
ｅ）階段トレーアセンブリの各トレーが、トレー間に全幅の長孔を形成する恒久的デバイダを有する請求項２７の方法。
【請求項３５】
ｆ）全幅の長孔の幾つかを、全幅の長孔内に取り外し式デバイダを配置することにより２つの単一幅長孔に分割させることが可能な請求項３４の方法。
【請求項３６】
ｇ）取り外し式デバイダを取り付けた場合において、単一幅長孔を越えてドアが開放するのを阻止するためのピンシステムを更に含む請求項３５の方法。
【請求項３７】
ｇ）取り外し式デバイダをその全てに配置した、最大９６の長孔を更に含む請求項３５の方法。
【請求項３８】
ｅ）階段トレーアセンブリが、積層した４つの円形展示段からなる請求項２７の方法。
【請求項３９】
ｅ）階段トレーアセンブリが複数の湾曲セグメントを含み、
ｆ）各湾曲セグメントが、積層した各展示段の一部分を含み、
ｇ）各湾曲セグメントの各積層した展示段を、折り畳むことにより実質的に一様高さ形態とすることが可能であり、
ｈ）回転自在のレースと、
ｉ）レース上の半径方向トレー支持体にして、各段のための支持表面を各々有する半径方向トレー支持体と、
ｊ）階段トレーアセンブリが前記半径方向トレー支持体上に配置され、
ｋ）階段トレーアセンブリを覆うシェルと、
ｌ）該シェルが、その下方に軽食を固定するべく然るべき位置で錠止され、
ｍ）シェルが、伸長状態での階段トレーアセンブリ形態に実質的に一致する段形状を有し、
ｎ）シェルの少なくとも一部分が透明であり、
ｏ）シェルの各段のドア穴にして、階段トレーアセンブリの段の長孔内の軽食への接近を可能とするドア穴と、
ｐ）シェルのドア穴に各一つを摺動自在に取り付けたドアと、
ｑ）階段トレーアセンブリの各トレーが、トレー間に全幅の長孔を形成する恒久的デバイダを有し、
ｒ）全幅の長孔の各々が、全幅の長孔内に取り外し式デバイダを配置することにより２つの単一幅長孔に分割させることが可能であり、
ｓ）取り外し式デバイダを取り付けた場合において、単一幅長孔を越えてドアが開放するのを阻止するためのピンシステムと、
ｔ）取り外し式デバイダをその全てに配置してなる最大９６の長孔と、
ｕ）階段トレーアセンブリが、積層した４つの円形展示段からなる請求項２７の方法。
【請求項４０】
軽食販売機が、
各々がドアを有する２つの段を有し、
ドアがドア制御機構を有し、該ドア制御機構が、
ａ）第１の回転自在のカムと、
ｂ）前記カム及びドアが、第１のドアを開放するとカムが第１の方向に回転する設計及び構造を有し、
ｃ）第２のドアを開放するとカムが第１の方向と反対方向に回転するようになっている請求項１又は３の方法。
【請求項４１】
ｄ）カムの第１部分が、カムが第１の方向に回転する場合に第２のドアの開放を阻止するように位置決めされ、
ｅ）カムの第２部分が、カムが第１の方向と反対方向に回転する場合に第１のドアの開放を阻止するように位置決めされる請求項４０の方法。
【請求項４２】
各々がドアを有する追加の２つの段を更に有し、
ｄ）第１の回転自在のカムと、前記追加の段のドアと関連する第２の回転自在のカムとを相互錠止し、それにより、何れか一方のカムの回転が他方のカムの回転を阻止してドアの開放が阻止されるようにする相互錠止アームを更に含む請求項４０の方法。
【請求項４３】
ドア制御機構が、
ｄ）金額錠止アームと、
ｅ）該金額錠止アームが、カムの回転が該金額錠止アームの直線移動を生じさせるようにカムに取り付けられ、
ｆ）金額錠止アームの端部の切り欠きと、
ｇ）該切り欠きの末端位置の取り外し式のピンにして、該ピンにより金額錠止アームの一方向への直線移動が阻止され、それにより、カムの一方向への回転が防止されてドアの開放が防止されるようにした請求項４０の方法。
【請求項４４】
各段が回転自在のカルーセルに取り付けられ、
ｄ）カルーセルの回転を錠止するための手段の一部分を構成するカルーセル停止アームと、
ｅ）該カルーセル停止アームが、ドア開放に応じてのカムの回転が該カルーセル停止アームに伝達されるようにカムに連結された請求項４０の方法。
【請求項４５】
ドア制御機構が、
小銭を受け取る際に信用を発生するための手段の一部である小銭箱をも含み、
ｅ）信用を消去するための手段の一部分である信用消去アームと、
ｆ）該信用消去アームが、ドア開放に応じてのカムの回転が信用消去アームに伝達されるようにカムに連結され、それにより信用が消去されるようにした請求項４０の方法。
【請求項４６】
ドア制御機構が、
４つの段を有し、各段がドアを有し、各段が回転自在のカルーセルに取り付けられ、
ｇ）カムの第１の部分が、カムが第１の方向に回転する場合に第２のドアの開放を阻止するように位置決めされ、
ｈ）カムの第２の部分が、カムが第１の方向と反対方向に回転する場合に第１のドアの開放を阻止するように位置決めされ、
ｉ）第１の回転自在のカムと、前記追加の段のドアと関連する第２の回転自在のカムとを相互錠止し、それにより、何れか一方のカムの回転が他方のカムの回転を阻止してドアの開放が阻止されるようにする相互錠止アームと、
ｊ）金額錠止アームと、
ｋ）該金額錠止アームが、カムの回転が該金額錠止アームの直線移動を生じさせるようにカムに取り付けられ、
ｌ）金額錠止アームの端部の切り欠きと、
ｍ）該切り欠きの末端位置の取り外し式のピンにして、該ピンにより金額錠止アームの一方向への直線移動が阻止され、それにより、カムの一方向への回転が防止されてドアの開放が防止され、
ｎ）カルーセルの回転を錠止するための手段の一部分を構成するカルーセル停止アームと、
ｏ）該カルーセル停止アームが、ドア開放に応じてのカムの回転が該カルーセル停止アームに伝達されるようにカムに連結される請求項４５の方法。
【発明の詳細な説明】
【０００１】
（発明の分野）
本発明は一般に軽食販売機に関する。販売用販売機あるいは自動販売機の所有者及び貸主は当業者である。
【０００２】
（従来の技術）
本発明に関連する当該技術には２つの主なカテゴリーが存在する。即ち、１）信用システム型販売機と、２）完全セキュリティ型販売システムと、である。
信用システム型の軽食販売機とは、品物をカバーを掛けずに且つ無人で展示するものである。客は、販売機に収納された軽食のどれかを購入しようとする場合、箱にお金を入れてその品物を箱から取り出す。“信用システム”なる用語は、箱に入れた金額が正しいかどうかがチェックされないことのみならず、箱にお金を入れたことすら分からないと言う事実から用いられるものである。“信用システム”型販売機は、一般的には、会社その他の、一般には公開されない領域で使用される。
【０００３】
これらの信用システムの箱を管理する販売会社は、補給のための巡回時間を非常に短くすることでシステムの使用を経済的なものとしている。補給は、販売会社の従業員が全く新しい製品箱と空の小銭箱とを運び込み、これを既存の箱に置き換えることにより行われる。空の小銭箱の補給と、回収した小銭箱からの現金の取り出しとは通常は中央処理施設で行われる。
【０００４】
こうした信用システム型の箱には、１）製造費用が安価であること、及び２）補給が容易であると言う利益があるものの、その利用者全てが正直者ではないと言う点での不利益がある。
当該技術の第２のタイプのものは、一般大衆が利用するように設置される完全セキュリティ型販売機である。これらの販売機によれば、品物或いは営業利益が略奪される恐れが無くなり、甚大な物理的損害を減らすことができる。
こうした大型の装置は安全性の点で利益があるが、高価であること、補給が極めて時間浪費的であること、そして販売量が少なく経済的に見合わないと言う欠点がある。
【０００５】
（解決しようとする課題）
比較的安価であり、補給が容易であり、最大９６個の様々な大きさの製品を見て選べる利益を有する軽食販売機を提供することであり、
信用システム販売方法を上回る、完全セキュリティ軽食販売システムと類似する安全性を、より低コストで確保しつつそうした軽食販売機を提供することであり、
【０００６】
信頼性があり、可動部品が可能な限り少なく、しかも外部電源を必要としない販売機を提供することであり、
素早い現場サービス、即ち、販売機の補給及び現金の取り出しを、好ましくは２分程度で行える販売機を提供することであり、
販売機から実際に品物を購入するための手順をできるだけ少なくすることであり、
【０００７】
各段の売り上げ合計に関する情報を識別し且つ蓄積し、この情報から、採算性及び在庫状況を追跡できるようにすることであり、
寸法の限られたカウンタ台上で且つこのカウンタ台上方の低位置キャビネットの下に置くことのできる軽食販売機を提供することであり、
販売位置から中央補給位置に移送し、次いで元に戻す間のハードウェア及びシステムの容積が小さく且つ損害から保護された販売機を提供することであり、
各段が、他の段と無関係な個別の値段を有し得る多段式販売が可能な販売機を提供することであり、
【０００８】
丈夫で、コンパクトで、耐久性があり、軽量で、簡単で、安全で、効率的で、汎用性があり、生物相容性であり、省エネルギーであり、信頼性があり、しかも安価であり、且つ製造、組み付け、運転及び維持管理が容易な販売機を提供することであり、
素早い、汎用性のある、生物相容性の、省エネルギーの、効率的な、安価な、そして、組み付け、運転及び維持管理に高度の熟練を要しない方法により上記販売機を提供する方法を提供することである。
【０００９】
（課題を解決するための手段）
本発明によれば、信用販売機の利益を保持するが、もっと大型の、一般の公共的販売機における安全特性をも追加的に有する軽食販売機が提供される。言い換えると、本発明の軽食販売機は、その設置占有面積が、信用販売型の販売機と完全セキュリティ型の一般の公共的販売機との中間である。本発明の装置はずっと小型の、一般に公共的には公開されない軽食販売環境のために設計されたものではあるが、品物の安全性を高め且つそうした安全性を比較的安価な装置において実現するものである。
【００１０】
（発明の実施の態様）
軽食販売機の主要構成部品は７つ、即ち、ベース１２、カルーセル１６、後シェル２０、トレー１０、前シェル２２、ピンシステム１６０及び１６２、ドア錠止機構３２、である。
図１を参照するに、軽食販売機が円形の４つの段を有している。各段は多くの点で類似しており、第１段４０は最大半径を有し、第４段４６は最小半径を有し、従って、本発明の軽食販売機（以下、単に装置とも称する）は“ウェディングケーキ”に似た形態を有している。試作品では透明プラスチックが材料として使用されたが、所望の用途に応じて変更することができる。
【００１１】
図２、４、５、６では、ベース１２は装置の最下部として示されている。ベース１２の中心位置にはシャフト５０が取り付けられる。シャフト５０はベースプレート１３の取り付けピース５４により支持される。取り付けピース５４にはボルト５８が通され、このボルト５８がシャフトを然るべく保持する。シャフト５０は、カルーセルが回転できるようにするための装置の、垂直の中心軸線を確定する。カルーセル１６とトレー１０とはこの垂直の中心軸線を中心として回転する。
【００１２】
カルーセルの回転は６つのロール６２により容易化される。ロール６２の下方棚状突起６４がカルーセル１６のレース９６を支持する（図４）ロールのフランジ６５がレース９６の芯合わせを助成する。戻止めシステム６６が停止位置と整列される（図２及び５）。各戻止めシステムには、円形の戻止めホイール７０とバネ７４とが含まれる。戻止めホイール７０は、戻止めガイド７２と、ベースプレート１３に取り付けた戻止めアプリケートガイド７６と、アプリケータ７８の戻止めホイールピン８６とにより、然るべく保持される。バネ７４はベースプレート１３の戻止め支持体６８により然るべく保持される。バネの力は戻止めバネアプリケータ７８により戻止めホイールに印加される。戻止めシステムは、カルーセルの増分量的な停止及び制御を容易化するためのものである。図４及び５には、戻止めホイール７０をカルーセル１６の戻止め軌道９８に乗せるプロセスが示される。
【００１３】
カルーセルの増分量的な移動は、戻止め軌道９８の個々のセクションが、戻止めシステムを一度に長孔１５８の長さ一つ分のみ移動させることにより可能とされる。客は錠止リング１０２を使用してカルーセルを回転させることができる（図３及び４）。図５では戻止め軌道９８がカルーセル１６の一体部分として示されている。戻止め軌道９８よりも上方の部分は全て、戻止めシステム６６と戻止め軌道９８との間の相互関係を示すために破除されている。
【００１４】
図４には、本発明の装置全体の断面が示される。この断面は中心線を通る直線的なものではない。図２では切断面（図４の切断面）は最も左側の戻止めシステム６６から開始されて装置の前方に向けて進む、幾分ジグザグの形状を呈している。次いで、切断面は向きを変え、左前方のロール６２の中心を通って中心線に達した後、右前方のロール６２に戻り、次いで、最も右側の戻止めシステムを通過する。このジグザグの切断面は、図示される多くの構成部品間の相互関係を示すのみならず、特には、戻止めシステム６６と戻止め軌道９８との、またロール６２とレース９６との各相互関係を示すためのものである。
【００１５】
図３及び４では、カルーセルは２つの同一の、円形の中心部品、即ち、下方部品８４と上方部品８２とを含んでいる。シャフト５０が上方部品８２及び下方部品８４の各シャフト孔４８を貫いて伸延する。これらの中心部品は６つのトレー支持体８８により支持される。トレー支持体８８はレース９６上の内側円形バンド９２に取り付けられる。上述したように、レース９６は、カルーセルが円滑に移動できるようにするためにロール６２により支持される。
【００１６】
カルーセルがベースに配置された後、このベースの周囲のおよそ３分の２に沿って位置付けた溝８０に後シェル２０が配置される（図２、４、７）。後シェル２０は、図７に示すコネクタラグ１０４により溝８０内の長孔（簡略化のために図示せず）内に取り付けられる。
後シェルは、外側の一部分を提供すると共に、小銭箱キャビティ１０６の内側の小銭箱１８を支持する。小銭箱１８は、客が銀行コンテナに小銭を挿入できるようにするもので、客が入れた小銭はプロセス処理され、次いで信用情報がドア錠止機構３２に伝えられ、購入のために選択した品物に対する正しい支払いが成されたことが保証される。小銭箱の仕様は本件出願の範囲外のものであり、簡略化のために省略される。
【００１７】
個々の軽食アイテムは階段トレーアセンブリ１０８（図８）に配置される。段あるいは高さは、各トレーをそこに沿って位置付ける列として確定される。ある段に位置付ける各トレー１０の寸法比は同じである。軽食販売機は４つの段を有し、これら４つの段は各直径によって識別することができ、また、特定の段の軽食を購入するために必要な金額によっても識別され得る。段状のトレーアセンブリ１０８は、本実施例では３つのセグメントアセンブリ１１０を含んでいる。各セグメントアセンブリは、図示される実施例の階段トレーアセンブリ１０８の全円周の１２０°分を構成する。セグメントアセンブリは、階段トレーアセンブリの全円を構成する限りにおいて、任意の数とすることが可能である。
【００１８】
全部のトレー１０を特定の段に配置した状態で、各トレーは円形トラフを形成する。“トラフ”とは、各トレーの断面が四角いベースを形成することを表すものである。“円形”とは、四角いベースのトラフが完全な円を形成することを表すものである。
幾つかの大型の製品を収受するために、上方の２つのトレー４４及び４６のトラフ幅は、ベースの２つのトレー４０及び４２のトラフ幅よりも大きい。
【００１９】
図９及び１０を参照するに、段２、３、４、上の各トレー（４２、４４、４６）がＴ字型ラグ１１６を有している。各トレー（４０、４２、４４）はＴ字型溝あるいはＴ字型長孔１１８を有している。各トレーを折り畳み、そして拡張させるプロセスは、Ｔ字型ラグとＴ字型溝との間の相互関係を使用する。一方のトレーのＴ字型ラグ１１６が、次ぎに直径の大きいトレーのＴ字型溝１１８内に配置される。次いで、Ｔ字型ラグ１１６が直径の大きい方のトレーのＴ字型溝の上部に伸延される。このプロセスが、４つの段の全てが結合されてセグメントアセンブリ１１０が形成されるまで、各個別のトレーに対して反復される。形成されたセグメントアセンブリ１１０は、折り畳み状態では図１１に、そして伸長状態では図１２に類似するものとなる。セグメントアセンブリ１１０は伸長されてカルーセル上に配置され、かくして図１及び４に示す“ウェディングケーキ”形態を呈する。
【００２０】
３つのセグメントアセンブリ１１０全てを追加した後、前シェル２２が軽食販売機に配置される。前シェル２２と後シェル２０とは歯合して錠止され、軽食販売機を固定する。後シェル２０の各水平表面の、前カバーに最も近く且つドア錠止機構３２から遠い側の縁部に溝あるいは長孔が設けられる。前シェル２２は後シェル２０のこれらの溝あるいは長孔内に嵌入する、それらの溝あるいは長孔と相補形状を有する突起を有する。斯くして、前後の各シェルの錠止及び軽食販売機の固定は、前シェル２２を後シェル２０の、ドア錠止機構３２とは反対側の縁部に若干被せるように配置することにより達成される。
【００２１】
次いで、前シェル２２は時計方向に回転され、前シェル２２の前記相補形状の突起が後シェル２０の溝あるいは長孔内で然るべく錠止される。更に、この時計方向回転により、前シェルの、ドア錠止機構３２の側の一部分がドア錠止機構の一部分の下方に移動する。ドア錠止機構のこの部分は、様々な錠止技術の何れかにより当該位置に然るべく錠止される。
前シェルには４つのドア孔１３０、１３２、１３４、１３６（図１３）が設けられる。各ドア孔は、ドアがドア長孔に弾発係入し且つ容易に外れるようにするための１つのドア切り欠き１３８と、２つの下方ドアガイド１４８とを有する。
【００２２】
ドアは図１４、１５、１６に例示される。図面には４つのドア２４、２６、２８、３０（図１）の全てが示されている。各ドアは曲率半径及び長さが等しい。ドアの幅は２つの異なる値とされるが、各ドアの寸法比率は全て同じである。各ドアは、ドアを横方向に弧状に摺動させるために使用するハンドル１４２を有する。ドアが整合状態から外れないこと、あるいは開きにくくならないことを保証するためにガイド１４６及び１４８が使用される。ガイド１４６は縁部１４４（図１３）に沿って摺動し、ガイド１４８は縁部１５４に沿って摺動する。ドアが長孔の最大長さに対してのみ開放し得ることを保証するためのドアベーン１５０が使用される。例えば、客の選んだ軽食が二倍長さ長孔１５６内のものである場合は、ドアベーン１５０が後シェル２０に衝突する。
【００２３】
各個別のトレーは図１７に示すように個々の長孔１５６及び１５８に更に分割される。各長孔は、恒久的デバイダ３６と、取り外し式デバイダ３４との両方により確定される（図１１及び１７）。図１１及び１７に示されるように、取り外し式デバイダ３４はデバイダガイド３５により然るべく保持される。図１１の斜視図では幾つかのデバイダガイド３５が示されているが、簡略化のためにデバイダガイドの全ては示されない。本実施例では各長孔は取り外し式デバイダ３４を配置することにより２つの長孔に分割され得るが、各々の、且つ全ての全寸法の長孔が分割し得るものである必要はない。
【００２４】
客の選んだ軽食が単一長さ長孔内のものである場合は、軽食販売機はピン機構を使用してドアを制御する。各ドアはドアを制御する２本のピンを有する。図１に示されるピン＃１  １６０は、もし客の選んだ軽食が単一長さ長孔１５８内ののものである場合、ドアが長孔１つ分の長さのみ開放することができるようにするために使用される。図１８〜２１にはピンシステムの概略図が示される。図２１には、ピン＃１  １６０を使用して、単一長さ長孔１５８分の空間が開放されたときにドアを停止させるプロセスが示される。ピン＃１  １６０のレバー１６４とブロック１７０とは、図２０に示されるように、その位置に取り外し式デバイダ３４が無いことから下方に角度付けられている。かくして、ドアは、後シェル２０にドアベーン１５０が接触することのみによって妨害されることから、二倍長さ長孔１５６の寸法分において開放される。しかしながら、単一長さ長孔のための取り外し式デバイダ３４を設けた場合は、ピン＃１  １６０はこの取り外し式デバイダにより持ち上げられ、かくして、ブロック１７０がドアを停止させる（図１２）。ピン＃１は、単一長さ長孔１５８内の品物を選んだ客は単一幅の軽食のみにアクセス可能であり、隣接する各位置から追加の軽食を取り出せないことを保証するためのものである。図２０及び２１には、ドア部分がドア３０のものとして示されるが、同じ原理は全てのドアに適用される。
【００２５】
図１に示されるピン＃２  １６２は、カルーセルが正しい整合状態にあることを保証するために使用される。各デバイダが、客が軽食（単一幅長孔あるいは二倍幅長孔の何れの内部のものであろうと）にアクセスできるようにするために整合されると、ピン＃２  １６２が上昇してドアを開放させる。しかしながら、ピンがデバイダと正しく整合していないと、ピン＃１のブロック１７０と類似のブロックがドアの長孔１７１に落ち込み、ドアを開けられないことが保証される。ピン＃２  １６２の作用プロセスは、ピン＃１  １６０のために先に説明したそれと同じである。明瞭化のために示されないが、ピン＃１  １６０及びピン＃２  １６２の各々には、６つの各システムレバーを改変してこれらのピンを無効化することが出来ないようにするための覆いが設けられる。
各レバー１６４は、前シェル２２に取り付けたピンベース１６８にピボット取り付けされる。ピン＃２  １５２のレバーはピン＃１  １６０と逆にあるいは鏡像状態で取り付けられる。
【００２６】
ドアはドア錠止機構３２（図２２〜２５）により制御され、後シェル２０の側方に位置付けられ、前シェル２２位置ではカバー３３により部分的に覆われる。図１ではこのドア錠止機構３２が示されるが、図７では明瞭化のために省略される。ドア錠止機構３２は下方カム１７２、上方カム１７４（図２６〜３２）と、３本の異なるアーム１７６、１７８、１８０（図３３〜３９）とを含む。
【００２７】
ドア錠止機構３２は、以下のように作用する、即ち、１）全てのドアを、適正額の金額が支払われるまで閉じておき、２）適正金額が支払われると各段のドアの錠止を解除し、３）どれかのドアが開放されたときカルーセルをその位置で錠止し、それにより、ドア開放後にその段の全ての軽食が取り出される恐れを無くし、４）どれかのドアが開放されると残りのドアが開かないようにし、５）ドア開放後に小銭計数機をリセットする。
下方カム１７２と上方カム１７４とは、ボード２９のスタブ上で回転するように取り付けられる。ボードは後シェル２０に取り付けられる。
【００２８】
上方カム１７４は、第４段４６と第３段４４のための各ドアを相互錠止し、下方カム１７２は第１段４０及び第２段４２の各ドアを相互錠止する。これら２つの群におけるこの相互錠止の作動特性は実質的に同じである。ドアが開放されると、そのドアが適宜のカムと接触してこのカムを回転させる。カムは、回転するとその群の第２のドアの開放をその一部により阻止する。詳しくは、図２６には下方カム１７２示され、更に、１つのドアのための接触点１９４と、２つのドアのための接触点１９６とが示される。各段の夫々のドアのベーン１５０がこれらの接触点と実際に接触する。第１段のドアが開放されると、このドアが下方カム１７２を位置１９４で押して回転させる。回転する下方カム１７２が第２段のドアブロック２１２を回転させて第２段のドアが開かないようにする。
【００２９】
別の開け方では、第２段のドア２８を開放すると、下方カム１７２が反時計方向に回転し、この反時計方向回転により、第１段のドアブロック２１０が移動して第１段のドアが開かなくなる。上方カム１７４の、第３段及び第４段の各ドア２６、２４に関連する相互錠止機構に対しても同じ説明が適用される。ドアのベーン１５０が、各カムを、摺動状態で通過する以前に９０°未満の角度で回転させつつも尚、カムを回転位置に保持することを理解されよう。ベーン１５０の、接触点を通過しての摺動はドアを二倍長さ長孔分において開放する場合に最も顕著となるが、単一長長孔に渡りドアを開放する場合でも幾分生じ得る。
【００３０】
上方カム及び下方カムは、第３及び第４の各段のドアと第１及び第２の各段のドアとを夫々相互錠止するのみならず、相互に錠止して、一度に１つのドアだけが開放されるようにする。各カム間における相互錠止状況は図３３及び３４に示される。カム相互錠止アーム１７８が、シャフト及び長孔による機構を介して上方カム１７４に連結される。詳しくは、上方カム１７４のシャフト２０４がカム相互錠止アーム１７８の長孔２０６に滑り込む。上方カム１７４が回転することにより、カム相互錠止アーム１７８が上下に移動する。上方カム１７４が反時計方向に回転すると、カム相互錠止アーム１７８が図３３に示されるように上昇する。カムの反時計方向回転は第４段のドアを開けることにより生じる。上方カム１７４の時計方向回転がカム相互錠止アーム１７８を下方に移動せしめる。上方カム１７４の時計方向回転は第３段のドアを開けることにより生じる。かくして、上方カム１７４の回転がカム相互錠止アーム１１７８における相当量の移動を生ぜしめることを理解されよう。
【００３１】
カム相互錠止アーム１７８は峰部及び溝による機能を介して下方カム１７２と相互作用する。詳しくは、相互錠止アーム溝２１８が下方カム１７２の下方カム峰部２２０と相互作用する。全てのドアが休止位置、即ち、閉じていると、下方カム峰部２２０は、下方カム１７２が自由回転する状態下に相互錠止アーム溝２１８と整列する。更に、上記休止位置では上方カム１７４は、カム相互錠止アーム溝２１８が下方カム１７２の峰部長孔２２２と整列していることから、自由に回転移動する。
【００３２】
カム間の相互錠止は以下のようにして達成される。下方カム１７２あるいは上方カム１７４の何れかが回転することにより、カム相互錠止アーム１７８を介しての他方のカムの回転運動が有効に阻止される。第１段のドア３０あるいは第２段のドア２８の何れかが開くと、下方カム１７２が先に説明したように回転し、それにより、相互錠止アーム溝２１８が下方カム峰部２２０に沿って載置されると、カム相互錠止アーム１７８は上下方向に移動することが出来なくなる。カム相互錠止アーム１７８が上下方向の何れにも移動することが出来ないと、上方カム１７４の回転運動が有効に停止され、それ故、上段のドアは、上方カムが自由回転することができない場合には開けることが出来なくなる。
【００３３】
上方カム１７４と下方カム１７２との相互錠止が、カム相互錠止アーム１７８によって再度達成される。上方カム１７４が、上段の何れかのドアが開けられることにより回転すると、カム相互錠止アーム１７８が、先に説明したように長孔２９６内を移動するシャフト２０４によって上下何れかの方向に移動される。この移動により、相互錠止アーム溝２１８が峰部長孔２２２内で移動し、相互錠止アーム溝２１８と下方カム峰部２２０とが不整合状態となる。相互錠止アーム溝２１８と下方カム峰部２２０とが不整合となると下方カム１７２の回転運動が停止され、それにより、下段のドアが錠止されて開かなくなる。この形態上、各ドアは、ドアブロック２１０あるいは２１２によってではなく、ドアがカム接触点１９４及び１９６と接触することによって、開けられなくなる点を銘記されたい。
【００３４】
カム相互錠止アーム１７８には他の作用、つまり、金額錠止部分分２２４が作動することに基づく金額釈放体としての作用もある。金額錠止部分２２４は下方ブロック２２６と上方ブロック２２８とからなり、システムにお金が追加されるに従い、小銭計数機（ここでは説明されない）はこれらのブロックを使用して各段を釈放する。カム相互錠止アーム１７８の上下何れの方向の移動も阻止されている場合、第３段のドア２６及び第４段のドア２４の開放は有効に阻止される。図３５及び３６には、下方カム金額ブロックアーム１７６が示される。
下方カム金額ブロックアーム１７６には２つの機能、即ち、１）適正金額が投入される前に下段のドアが開くのを阻止すること、及び、２）カルーセル停止アーム１８０を作動させる機能がある。
【００３５】
下方カム金額ブロックアーム１７６は、金額錠止部分２３０を介して金額錠止を達成する。カム相互錠止アーム１７８の金額錠止部分２２４とちょうど同じように、金額錠止アーム２３０は下方ブロック２３２と上方ブロック２３４とから成り、下方カム金額ブロックアーム１７６が、下方ブロック２３２あるいは上方ブロック２３４の何れかの位置で妨害されて移動することができないと、下方カム１７２の回転が有効に停止される。下方カムの回転が妨害されると、下段の各ドアは接触点１９４及び１９６に対する作動を妨害されて開放させることができなくなる。下方カム金額ブロックアーム１７６は、シャフト長孔２０８と、下方カムのシャフト２０２との作動により下方カムと相互作用する。
図３７及び３８を参照するに、カルーセル停止アーム１８０が示されている。カルーセル停止アーム１８０には３つの作用、即ち、１）カルーセルを、ドアが開いている間は回転しないように然るべく固定すること、２）小銭計数機をリセットすること、そして、３）どの段から軽食が購入されたかを確認するという作用がある。
【００３６】
ドアが開放すると、どのドアが開放されたかに係わらず、また、どのカムが回転されたかに係わらず、カルーセル停止アーム１８０は図３８に示すように上方に移動する。上方カム１７４が時計方向に回転する、即ち、第３段のドアを開放させると、上方カム１７４のシャフト２３６が作動してカルーセル停止アーム１８０を、カルーセル停止アーム１８０の溝２４８内で押し上げる。シャフト２３６は、上方カム１７４が時計方向に回転する間は、溝２４８の上方部分とのみ接触するように溝２４８内で位置決めされる。上方カム１７４が反時計方向に回転する間は、シャフト２３６は溝２４８の側壁とは接触しない。上方カム１７４が反時計方向に回転する間は、図３７及び３８に示されるカム相互錠止アーム１７８の押し棒２３８が押し位置１７７で押し上げ作動することで、カルーセル停止アーム１８０は上方に移動される。
【００３７】
繰り返すと、カルーセル停止アーム１８０は、上方カム１７４が時計方向に回転する場合は溝２４８内のシャフト２３６が作動することにより上方に移動し、上方カムが反時計方向に回転する間は、カム相互錠止アーム１７８の押し棒２３８が押し位置１７７でカルーセル停止アーム１８０を押し上げることにより上方に移動する。
【００３８】
同様に、カルーセル停止アーム１８０は下方カム１７２の各移動を使用して押し上げられる。下方カム１７２が時計方向に回転するとシャフト２４０が位置１７９でカルーセル停止アームと相互作用し、このカルーセル停止アーム１８０を押し上げる。下方カム１７２が反時計方向に回転すると、下方カム金額ブロックアーム１７６の押し棒２４２が、位置１７７でカルーセル停止アーム１８０を押し上げる。
カルーセル停止アーム１８０がこのように上方に移動すると、どの段のドアが開放された場合でも小銭計数機はリセットされる。この意味において、カルーセル停止アーム１８０は信用消去アームとも称される。
【００３９】
小銭の制御が簡単であることの説明として、お金が投入される以前には全てのアームは、下方ブロックあるいは切り欠き２２６に刺し通したピン３１２（図４１）により下方ブロック２２６に対して、また、下方ブロックあるいは切り欠き２２８に刺し通したピン３１２により下方ブロック２２６あるいは切り欠きに対して、下方ブロックあるいは切り欠き２３２に刺し通したピン３１２により下方ブロックあるいは切り欠き２３２に対して、そして上方ブロックあるいは切り欠き２３４に刺し通したピン３１２により上方ブロックあるいは切り欠き２３４に対して、その移動が防止されることを理解されたい。
【００４０】
図４１及び４２を参照するに、要素３１８を通して付加された力がレバー３１０のアーム３１６を移動させ、それにより、レバー３１０がシャフト３２０を中心としてピボット廻動してバネ３１４を圧縮する。このピボット運動により、切り欠き２２６、２２８、２３２、２３４から選択した１つの切り欠きからピン３１２が引き抜かれる。先に説明したように、ピン３１２が引き抜かれるとドアを開けられ、軽食が販売され得る状況となる。小銭箱１８内の小銭制御体は、選択された要素３１８を移動させるための作動力を提供する機構を有する。要素の選択は投入される金額に基づく。前記作動力を選択するための小銭制御体は既知である。例えば、米国特許第２，９３４，１９２号を参照されたい。
【００４１】
先に説明したように、ドアが開放されるとカルーセル停止アーム１８０が移動して信用が消去される。この信用消去により、要素３１８をアーム３１６に押し付ける作動力が除去される。次いで、バネ３１４がレバー３１０を回転させて、ピン３１２が切り欠きに再度刺し通される。
【００４２】
更に、その名が示すとおり、カルーセル停止アーム１８０はカルーセルの各上方移動を固定する。カルーセル停止アーム１８０は、販売機のドアが開放されるのに応じてカルーセルを然るべく固定する一連の部材の１つである。先に述べたように、そうした上方移動は、固定部材２４６を上方に移動させる揺り子２４４の揺動により生じる。これらの構成部品の相互作用は図３９に示される。固定部材２４６は、上方に移動されると固定リング１０２の孔内にピンあるいはシャフトを滑り込ませ、それにより、カルーセルの回転を固定する。
【００４３】
図示されないが、固定部材２４６にはバネが物理的に連結される。このバネの張力により固定部材２４６が、販売機の、カルーセルが固定されない位置であるベース１２に向けて押される。前記バネの発生する力は、固定部材２４６、揺り子２４４、カルーセル停止アーム１８０を介して上方に伝達されて、開始位置への復帰力を提供する。個別のドアのどかが開放された状態でカルーセル停止アーム１８０を上方に押し上げるための同じ機構により、バネは固定部材２４６に連結され、次いで、開いたドアを閉鎖させる。
ボード２９のガイドレール１８２が、下方カム金額ブロックアーム１７６及びカム相互錠止アーム１７８を案内する。
【００４４】
カルーセル停止アーム１８０を押し上げる距離は、開いたドアに依存して変化する。どの段から販売が行われたのかは、上方移動の長さの変化量を使用して識別する。この情報は、爾後分析用の比較的安価な電子回路に読み込まれ且つ記憶させることができる。
【００４５】
前カバー支持体３３ｆの前方位置と、後カバー支持体３３ｂの後方位置にボードが取り付けられる。これらの支持体は基本的に同一寸法形状のものであり、共に前カバー２７上に載置される。しかしながら、前カバー２７は前カバー支持体３３ｆ及び後カバー支持体３３ｂを支持しない。前カバー支持体３３ｆ及び後カバー支持体３３ｂのカバークリップ２０５が、前シェルクリップ２０１及び後シェルクリップ２０３と合致する。カバー３３が前カバー支持体３３ｆ及び後カバー支持体３３ｂと嵌合する。
【００４６】
トレーシステムは、セグメントアセンブリ１１０が伸長して“ウェディングケーキ”を形成する点で独特のものであるが、平坦な形態に折り畳み、各トレーをほぼ同じ高さにすることもできる。このトレーシステムの主たる利益は、軽食の補給（即ち、軽食販売機の維持管理者による）が効率的であり、空になったセグメントアセンブリを販売機から取り出してこれを折り畳み、軽食を補給したセグメントアセンブリに置き換えることで迅速に交換することができる点にある。
【００４７】
従って、説明したような軽食販売機の補給には以下の手順が含まれる。即ち、１）前シェル２２を取り外す（かくして軽食販売機を開放させる）こと、２）カルーセルを廻動させて１つのセグメントアセンブリ１１０を後シェル２０の開いた間隙に位置付けること、３）空のセグメントアセンブリを軽食販売機から取り出すこと、４）取り出した空のセグメントアセンブリを折り畳み、これを箱１０９（図４０）内に配置すること、５）補給されたセグメントアセンブリを伸長させること、６）伸長させたセグメントアセンブリを軽食販売機内に配置すること、７）空のセグメントアセンブリの全てを交換するまで、上記３）〜６）の段階を反復すること、９）お金の入った小銭箱を補給用の小銭箱と交換すること、１０）前シェル２２を軽食販売機に取り付けて錠止すること、である。
【００４８】
図４０に示される箱１０９は幾分特別のものである。この箱の内側寸法形状は、折り畳んだ複数のセグメントアセンブリ１１０を挿入することができるほどに十分な大きさとする必要がある。各セグメントアセンブリ１１０は、この箱１０９に配置された状態で円を形成するべきである。補給された軽食販売機から取り出した、お金の入った小銭箱１８は、各セグメントアセンブリ１１０の中心に創出された穴の中心に配置される。軽食販売機を補給するために運び込む必要があるのはただ１つの箱であることから、この箱の蓋の開放部分は、先に説明したように各セグメントアセンブリを保持する寸法形状とされるべきである。軽食販売機を補給するに際して、担当者はその意味において、この箱１０９の蓋を開き、この箱の、補給用のセグメントアセンブリ１１０と空の小銭箱とを保持する平面と実質的に同じ平面に蓋を逆さにして置く。軽食販売機から取り出した空のセグメントアセンブリは、元はこの箱の蓋であった部分に配置される。補給用のセグメントアセンブリの全てを軽食販売機内に配置し、空のセグメントアセンブリを小銭箱と共に箱の蓋の中に配置し終えると、前は箱のベースであった部分が、今度は、空のセグメントアセンブリと小銭の入った小銭箱とを覆う蓋として被せられる。
【００４９】
折り畳まれ、箱に収納された各セグメントアセンブリは、箱に収納した他のセグメントアセンブリの上部に容易に積み重ねることができ、かくして、新しい軽食を補給するべき軽食販売業者に戻される。
既知の技術によれば、小銭箱に貯まった小銭の金額は、小銭箱１８内の電池作動式の電子装置により容易に判断及び累算することができる。電子装置は、小銭箱１８を配置する、シャフト５０の上部に位置付けた確認証を容易に読み取ることもできる。かくして、補給エリアの担当者は、小銭箱内の小銭の累算金額と実際の合計金額とを検証することができる。同様に、電子装置は、ドアの開放に伴い移動した各アームの移動回数を記録することができる。これにより、補給センターの担当者は、各段における販売された軽食数及びその値段と、補給トレーに残る物理数との相関を取ることができる。この情報から得られたデータを基にして、過払い金額のみならず、各段で販売された軽食の様々な値段を容易に算出することができる。
【００５０】
販売機空の軽食の購入には以下の段階が含まれる。即ち、１）販売機に接近して、カルーセルをその露出した錠止リングを使用して回転させ、透明な前シェルの下に収納された軽食を調べること、２）次いで、所望の品物をドアの下方に位置決めすること、３）小銭を貯める小銭箱（小銭箱の中はここでは説明されない）にお金を入れること、４）小銭箱にお金が追加されるに従い、各段のドアが投入された金額合計が特定段のドアを開くために必要な金額と等しくあるいはそれ以上となった場合に釈放されること、５）所望の軽食の情報のドアを開くこと、６）長孔を通して所望の軽食を取り出すこと、７）開いたドアを離し、それにより、錠止部材と関連するバネが各部品を開放位置に戻すこと、である。各ドアは、サイクルが反復され得るまで、再び閉じた状態に錠止される。
【００５１】
上述の説明及び図面から、当業者には、説明したような本発明の製造及び使用方法を理解されよう。本明細書においては、本発明を実施するための最良モードが含まれる。
特定例各説明及び図面は本発明の侵害対象を示すものではなく、当業者が本発明を製造及び使用することができるようにするものである。本発明の制限事項及び発明の保護範囲は、付随する請求の範囲において考量され且つ定義される。
“機械的に”とは、本発明の機能あるいは方法段階が純粋に構造的な要素の移動によって達成され、そうした要素が電気的配線及びソレノイドで移動されるのではないことを意味するために使用される。言い換えると、本明細書で“機械的”あるいは“機械的に”なる用語には、電気的信号あるいは電気的装置の使用は明確に除外される。
【００５２】
（発明の効果）
代表的には、比較的安価であり、補給が容易であり、様々な大きさの、最大９６個の製品を見て選べる利益を有する軽食販売機が提供される。
【図面の簡単な説明】
【図１】  本発明の装置の斜視図である。
【図２】  ベースからの斜視図である。
【図３】  カルーセルの斜視図である。
【図４】  軽食販売機の断面図である。
【図５】  戻止め軌道部分を部分破除して示すベース方向からの斜視図である。
【図６】  ベース、カルーセル、トレーの各アセンブリの分解斜視図である。
【図７】  バックカバーの斜視図である。
【図８】  トレーアセンブリの斜視図である。
【図９】  トレーの平面図である。
【図１０】  トレーの部分破除した斜視図である。
【図１１】  折り畳みセグメントアセンブリの斜視図である。
【図１２】  伸張セグメントアセンブリの斜視図である。
【図１３】  前シェルの斜視図である。
【図１４】  ドアの斜視図である。
【図１５】  ドアの正面図である。
【図１６】  ドアの平面図である。
【図１７】  セグメントアセンブリの平面図である。
【図１８】  ピンシステムの平面図である。
【図１９】  ピンシステムの側面図である。
【図２０】  取り外し式デバイダ無しのピンシステムの概略図である。
【図２１】  取り外し式デバイダ付きのピンシステムの概略図である。
【図２２】  アームを配置しないドア錠止機構の平面図である。
【図２３】  カム相互錠止アームを配置したドア錠止機構の平面図である。
【図２４】  カム相互錠止アーム及び下方カムの金額錠止アームを配置したドア錠止機構の平面図である。
【図２５ａ】  全パーツを然るべく配置した状態でのドア錠止機構の平面図である。
【図２５ｂ】  図２５ａを線２５ｂ−２５ｂで実質的に切断したドア錠止機構の断面図である。
【図２５ｃ】  前後カバー及びボードの分解断面図である。
【図２６】  下方カムの平面図である。
【図２７】  図２６を線２７−２７に沿って実質的に切断した下方カムの側方断面図である。
【図２８】  下方カムのベースから見た平面図である。
【図２９】  図２６を線２９−２９に沿って実質的に切断した下方カムの側方断面図である。
【図３０】  上方カムの平面図である。
【図３１】  図３０を線３１−３１に沿って実質的に切断した上方カムの側方断面図である。
【図３２】  下方カムの底面からの平面図である。
【図３３】  図３４を線３３−３３に沿って実質的に切断したカム相互錠止アームの側方断面図である。
【図３４】  カム相互錠止アームの平面図である。
【図３５】  下方カム金額錠止アームの側面図である。
【図３６】  下方カム金額錠止アームの平面図である。
【図３７】  カルーセル錠止アームの平面図である。
【図３８】  図３７を線３８−３８に沿って実質的に切断したカルーセル錠止アームの側方断面図である。
【図３９】  カルーセル錠止アームの概略斜視図である。
【図４０】  折り畳み状態のトレーアセンブリの斜視図である。
【符号の説明】
１０  トレー
１２  ベース
１３  ベースプレート
１６  カルーセル
１８  小銭箱
２０  後シェル
２７  前カバー
２９  ボード
３２  ドア錠止機構
３３  カバー
３３ｆ  前カバー支持体
３３ｂ  後カバー支持体
３４  取り外し式デバイダ
３５  デバイダガイド
３６  恒久的デバイダ
４０、４２、４４、４６  トレー
４８  シャフト孔
５０  シャフト
５４  取り付けピース
５８  ボルト
６２  ロール
６４  下方棚状突起
６５  フランジ
６６  戻止めシステム
６８  戻止め支持体
７０  戻止めホイール
７２  戻止めガイド
７４  バネ
７６  戻止めアプリケートガイド
７８  アプリケータ
８０  溝
８２  上方部品
８４  下方部品
８６  戻止めホイールピン
８８  トレー支持体
９２  内側円形バンド
９６  レース
９８  戻止め軌道
１０２  固定リング
１０４  コネクタラグ
１０６  小銭箱キャビティ
１０８  トレーアセンブリ
１１０  セグメントアセンブリ
１１６  Ｔ字型ラグ
１１８  Ｔ字型長孔
１２０  錠止リング
１３０、１３２、１３４、１３６  ドア孔
１３８  ドア切り欠き
１４４、１５４  縁部
１４５  ハンドル
１４６、１４８  ガイド
１４８  下方ドアガイド
１５０  ドアベーン
１５６  二倍長さ長孔
１５８  単一長さ長孔
１６４  レバー
１６８  ピンベース
１７０  ブロック
１７２  下方カム
１７４  上方カム
１７６  下方カム金額ブロックアーム
１７７  押し位置
１７８  カム相互錠止アーム
１８０  カルーセル停止アーム
１９４、１９６  接触点
２０１  前シェルクリップ
２０３  後シェルクリップ
２０４  シャフト
２０５  カバークリップ
２１０、２１２  ドアブロック
２１８  相互錠止アーム溝
２２０  下方カム峰部
２２２  峰部長孔
２２４  金額錠止部分
２２６、２３２  下方ブロック
２２８、２３４  上方ブロック
２３０  金額錠止部分
２３６、２４０、３２０  シャフト
２４２  押し棒
２４６  固定部材
２４８  溝
３１０  レバー
３１２  ピン
３１４  バネ
３１６  アーム
【図１】
0004494635.tif 000002
【図２】
0004494635.tif 000003
【図３】
0004494635.tif 000004
【図４】
0004494635.tif 000005
【図５】
0004494635.tif 000006
【図６】
0004494635.tif 000007
【図７】
0004494635.tif 000008
【図８】
0004494635.tif 000009
【図９】
0004494635.tif 000010
【図１０】
0004494635.tif 000011
【図１１】
0004494635.tif 000012
【図１２】
0004494635.tif 000013
【図１３】
0004494635.tif 000014
【図１４】
0004494635.tif 000015
【図１５】
0004494635.tif 000016
【図１６】
0004494635.tif 000017
【図１７】
0004494635.tif 000018
【図１８】
0004494635.tif 000019
【図１９】
0004494635.tif 000020
【図２０】
0004494635.tif 000021
【図２１】
0004494635.tif 000022
【図２２】
0004494635.tif 000023
【図２３】
0004494635.tif 000024
【図２４】
0004494635.tif 000025
【図２５ａ】
0004494635.tif 000026
【図２５ｂ】
0004494635.tif 000027
【図２５ｃ】
0004494635.tif 000028
【図２６】
0004494635.tif 000029
【図２７】
0004494635.tif 000030
【図２８】
0004494635.tif 000031
【図２９】
0004494635.tif 000032
【図３０】
0004494635.tif 000033
【図３１】
0004494635.tif 000034
【図３２】
0004494635.tif 000035
【図３３】
0004494635.tif 000036
【図３４】
0004494635.tif 000037
【図３５】
0004494635.tif 000038
【図３６】
0004494635.tif 000039
【図３７】
0004494635.tif 000040
【図３８】
0004494635.tif 000041
【図３９】
0004494635.tif 000042
【図４０】
0004494635.tif 000043
【図４１】
0004494635.tif 000044
【図４２】
0004494635.tif 000045